【事件の表示】
　特願２０１８−５０１４６２号「冷凍装置」拒絶査定不服審判事件〔平成２９年　８月３１日国際公開、ＷＯ２０１７／１４５２７８〕について、次のとおり審決する。
【結　論】
　本件審判の請求は、成り立たない。
【理　由】
第１　手続の経緯
　本件審判請求に係る出願（以下「本願」という。）は、２０１６年２月２４日を国際出願日とする出願であって、その手続の経緯は以下のとおりである。
　令和１年６月２１日付け　：拒絶理由通知書
　令和１年８月２３日　　　：意見書の提出
　令和２年１月１０日付け　：拒絶査定（原査定）
　令和２年４月　７日　　　：審判請求書の提出
第２　本願発明
　本願の請求項に係る発明は、出願当初の特許請求の範囲の請求項１〜１０に記載された事項により特定されるものであるところ、その請求項１に係る発明（以下「本願発明」という。）は、その請求項１に記載された事項により特定される、以下のとおりのものである。
「【請求項１】
　圧縮機、凝縮器、膨張機構及び蒸発器を冷媒配管で接続して冷媒を循環させる冷媒回路を備えた冷凍装置であって、
　前記冷媒は、ＨＦＯ系冷媒を少なくとも１０重量％以上と、ＨＦＣ系冷媒を少なくとも５０重量％以上とを含み、
　前記圧縮機の摺動部を潤滑する冷凍機油には、添加量が０．１重量％から１．０重量％である酸捕捉剤が配合されている冷凍装置。」
第３　原査定の拒絶の理由
　原査定の拒絶の理由は、概略以下のとおりである。
理由１．（新規性）この出願の請求項１、２、６、８〜１０に係る発明は、その出願前に日本国内又は外国において、頒布された下記の引用文献１に記載された発明又は電気通信回線を通じて公衆に利用可能となった発明であるから、特許法第２９条第１項第３号に該当し、特許を受けることができない。
理由２．（進歩性）この出願の請求項１、２、６、８〜１０に係る発明は、その出願前に日本国内又は外国において、頒布された下記の引用文献１に記載された発明又は電気通信回線を通じて公衆に利用可能となった発明に基いて、この出願の請求項１〜１０に係る発明は、その出願前に日本国内又は外国において、頒布された下記の引用文献２に記載された発明又は電気通信回線を通じて公衆に利用可能となった発明及び引用文献３〜７に記載された事項に基いて、それぞれ、その出願前にその発明の属する技術の分野における通常の知識を有する者（以下「当業者」という。）が容易に発明をすることができたものであるから、特許法第２９条第２項の規定により特許を受けることができない。
　　　　　　　　　　　　＜引用文献等一覧＞
１.　特開２０１５−１４３９５号公報
２.　特開２０１５−６１９２６号公報
３.　特開２０１１−５２０３２号公報
４.　国際公開第２０１０／０２９７０４号
５.　国際公開第２０１６／０１７２７７号
６.　特開２０１５−１１７９２３号公報
７.　特開２０１３−７６５３３号公報
第４　引用文献
１　引用文献１の記載事項、引用発明
（１）　原査定の拒絶の理由で引用された刊行物である特開２０１５−１４３９５号公報（以下「引用文献１」という。）には、図面とともに、次の事項が記載されている（下線は参考のため、当審で付与した。以下同様。）。
「【請求項１】
　
圧縮機、室外熱交換器、膨張機構及び室内熱交換器と、
　
Ｒ３２冷媒又はＲ３２が５０重量％より多く含まれている混合冷媒と、
　
ポリオールエステル油及び酸捕捉剤を有する冷凍機油とを備え、
　
前記酸捕捉剤はアルキルグリシジルエステル化合物及びシクログリシジルエーテル化合物を有し、
　
前記酸捕捉剤におけるアルキルグリシジルエステル化合物の割合は１０〜９７％である空気調和機
「【背景技術】
【０００２】
　ルームエアコン用の冷媒は、オゾン層保護のためＲ２２から代替冷媒へと移行され、現在は主にＲ４１０Ａが使用されている。しかし、
Ｒ４１０Ａは地球温暖化係数（以下「ＧＷＰ」という。）が２０８８と高く、地球環境に及ぼす影響を低減するために、地球温暖化係数がＲ４１０Ａの１／３程度であるジフルオロメタン（以下「Ｒ３２」という。）へ移行することが検討されている
【０００３】
　ところで、冷媒の種類によって、相溶する冷凍機油は異なる。冷凍機油は圧縮機中に貯留され、圧縮機が起動すると各摺動部分に給油され、一部は冷媒とともに圧縮機の外へ吐出される。このとき、
冷凍機油が冷媒に溶けづらいと、冷凍サイクル中の低温部で冷凍機油が冷媒から分離し、圧縮機に冷凍機油が戻らず、圧縮機内の冷凍機油の量が減少する
【０００４】
　このような問題を避けるため、
ＨＦＣ（Ｈｙｄｒｏ Ｆｌｕｏｒｏ Ｃａｒｂｏｎｓ）系冷媒に対しては、一般に冷媒と相溶性の良いポリオールエステル油（以下「ＰＯＥ油」という。）やポリビニルエーテル油（以下「ＰＶＥ油」という。）が冷凍機油として用いられている
【０００５】
　ここで、
ＰＯＥ油を用いる場合、冷凍サイクル中に水分が混入すると、ＰＯＥ油は加水分解を起こし、劣化する。そのため、ＰＯＥ油を用いる場合、ＰＯＥ油の加水分解を抑制するために、エポキシ化合物などの酸捕捉剤が添加される
「【００１１】
　本発明の空気調和機は、
圧縮機、室外熱交換器、膨張機構及び室内熱交換器と、Ｒ３２冷媒又はＲ３２が５０重量％より多く含まれている混合冷媒と、ポリオールエステル油と酸捕捉剤を有する冷凍機油とを備え、酸捕捉剤はアルキルグリシジルエステル化合物及びシクログリシジルエーテル化合物を有し、酸捕捉剤におけるアルキルグリシジルエステル化合物の割合は１０〜９７％である
【発明の効果】
【００１２】
　本発明によれば、冷凍機油の加水分解を抑制する空気調和機を提供することができる。」
「【００２０】
　本実施例では、冷媒としてＲ３２を用い、冷凍機油としてＲ３２と相溶性があり、潤滑性に優れるＰＯＥ油を用いている。
【００２１】
　ＰＯＥ油は、潤滑性能に優れるが、水分により分解し脂肪酸を生成する特性がある。脂肪酸を生成すると金属表面の腐食を引き起こし、又、生成した脂肪酸を触媒として冷凍機油の劣化が進行するおそれがある。
【００２２】
　さらに、Ｒ３２は極性が高いため、冷媒としてＲ３２を用いると、Ｒ４１０Ａと比較して持ち込み水分量が多くなる。また、冷媒として用いられてきたＲ４１０Ａに比べて、Ｒ３２はＲ４１０Ａよりも比熱比が高いため、圧縮機１の吐出温度が上昇しやすく、圧縮機１の吐出温度が１００℃を超える可能性がある。高圧チャンバ方式の圧縮機の場合、圧縮されて高温となった冷媒が圧縮機の中に充満する。つまり、冷媒としてＲ３２を用いると、持ち込み水分量が多くなり、又、圧縮機の高温化により冷凍機油の加水分解が促進されるため、Ｒ４１０Ａ使用時よりも冷凍機油が劣化しやすくなる。
【００２３】
　
酸捕捉剤としては、エポキシ化合物、カルボジイミド等があるが、本実施例ではエポキシ化合物を用いている
【００２４】
　本実施例は、
酸捕捉剤としてアルキルグリシジルエステル化合物とシクログリジルエーテル化合物を用いている
「【００３８】
　そして、実施例１〜３、比較例１〜７及び従来例１〜２に、酸捕捉剤として化学式（１）に示すアルキルグリシジルエステル化合物、化学式（２）に示すシクログリシジルエーテル化合物を冷凍機油に添加した。
表１は、冷凍機油に対するアルキルグリシジルエステル化合物とシクログリシジルエーテル化合物の添加割合である
【００３９】
　　　　　　　　　　　　　　　　　　　　　　　　　　　　　　」
「【００５１】
　次に、Ｒ４１０Ａ用冷凍機油に添加していた添加剤を用い、添加量を増やして試験を行なった結果について説明する。比較例３は、比較例１に対して、アルキルグリシジルエステル化合物の添加量を増やし、
冷凍機油全重量におけるアルキルグリシジルエステル化合物の割合
２ｗｔ％
【００５２】
　比較例４は、比較例３に対して、アルキルグリシジルエステル化合物の添加量をさらに増やし、
冷凍機油全重量におけるアルキルグリシジルエステル化合物の割合
５ｗｔ％
【００５３】
　比較例５は、比較例２に対して、シクログリシジルエーテル化合物の添加量を増やし、冷凍機油全重量におけるシクログリシジルエーテル化合物の割合を
２ｗｔ％
「【００６６】
　
本実施例の冷媒は、Ｒ３２が５０重量％より多く含まれている混合冷媒で構成してもよい
Ｒ３２及びＲ１２３４ｙｆからなる冷媒
Ｒ３２、Ｒ１２３４ｙｆ及びＲ１２３４ｚｅからなる冷媒
（２）　上記（１）の表１の実施例１〜３についての記載事項から、冷凍機油に対する酸捕捉剤としての、アルキルグリシジルエステル化合物とシクログリシジルエーテル化合物の添加量は、０．５２ｗｔ％（０．０５＋０．４７）、０．６３ｗｔ％（０．３＋０．３３）、０．７０ｗｔ％（０．４５＋０．２５）であることがわかる。
（３）　上記（１）及び（２）の事項を総合すれば、引用文献１には、次の発明（以下「引用発明１」という。）が記載されていると認められる。
「圧縮機、室外熱交換器、膨張機構及び室内熱交換器と、
　Ｒ３２が５０重量％より多く含まれている、Ｒ３２及びＲ１２３４ｙｆからなる混合冷媒、又はＲ３２、Ｒ１２３４ｙｆ及びＲ１２３４ｚｅからなる混合冷媒と、
　ポリオールエステル油及び酸捕捉剤を有する冷凍機油とを備え、
　前記酸捕捉剤はアルキルグリシジルエステル化合物及びシクログリシジルエーテル化合物を有し、
　冷凍機油に対する酸捕捉剤としての、アルキルグリシジルエステル化合物とシクログリシジルエーテル化合物の添加量は、０．５２ｗｔ％、０．６３ｗｔ％、０．７０ｗｔ％であり、
　前記酸捕捉剤におけるアルキルグリシジルエステル化合物の割合は１０〜９７％である空気調和機。」
２　引用文献２の記載事項
（１）　原査定の拒絶の理由で引用された特開２０１５−６１９２６号公報（以下「引用文献２」という。）には、図面とともに、次の事項が記載されている。
「【請求項１】
　
圧縮機、凝縮器、膨張機構および蒸発器を備える冷凍装置であって、
　
Ｒ３２を少なくとも６０重量％含む冷媒、および、前記圧縮機の潤滑用の冷凍機油を用い、
　
前記冷凍機油は、添加量が１．０重量％から５．０重量％である酸捕捉剤が配合されており、
　
前記冷媒は、ＨＦＯ系冷媒を含む、
冷凍装置。
「【請求項９】
　
前記ＨＦＯ系冷媒は、少なくともＨＦＯ−１２３４ｙｆまたはＨＦＯ−１２３４ｚｅ（Ｅ）である、
　
請求項１から８のいずれか１項に記載の冷凍装置
【請求項１０】
　前記冷媒の地球温暖化係数は、５００以下である、
請求項１から９のいずれか１項に記載の冷凍装置。」
「【０００２】
　従来、空気調和装置等の冷凍装置に用いられる冷凍機油には、冷媒の分解により発生するフッ酸等の酸による冷凍機油の劣化および膨張弁の腐食を抑制するための物質が含有されている。例えば、特許文献１（特開２００１−２２６６９０号公報）に開示される
冷凍機油には、酸捕捉剤が少なくとも０．０５重量％添加されている
【０００３】
　また、
従来、空気調和装置等の冷凍装置には、テトラフルオロエタンであるＲ１３４ａや、混合冷媒であるＲ４１０ＡおよびＲ４０７Ｃ等のフッ素系冷媒が使用されている。しかし、これらのフッ素系冷媒は、塩素を含まないのでオゾン層を破壊する効果は小さいが、温室効果による地球温暖化への影響が大きい。そこで、近年、地球温暖化係数が小さいフッ素系冷媒として、分子式ＣＨ2Ｆ2で表されるＲ３２が注目されている
【発明の概要】
【発明が解決しようとする課題】
【０００４】
　しかし、
Ｒ３２は、Ｒ４１０ＡおよびＲ４０７Ｃ等の他のフッ素系冷媒と比べて、安定性が低く、高温環境下にさらされたり、空気および水が混入したりすることで、分解しやすく、分解によるフッ酸等の酸の発生量も多い。冷媒の分解により発生する酸は、冷凍装置に用いられる冷凍機油を劣化させ、膨張弁等の部品を腐食させるおそれがある
特許文献１（特開２００１−２２６６９０号公報）に基づいて、Ｒ３２に酸捕捉剤を０．０５重量％添加しても、冷凍機油の劣化および膨張弁の腐食を抑制することができない
【０００５】
　また、Ｒ３２は、他のフッ素系冷媒と比べて、冷凍機油との相溶性が悪く、冷媒と油との分離が起こりやすい。冷媒と油との分離が起こりやすいと、空気調和装置を構成する圧縮機の摺動部に潤滑性の低い冷媒のみが供給されることにより、圧縮機の摺動部が異常発熱して、冷媒の分解による酸の発生が促進される。
【０００６】
　本発明の目的は、冷凍機油の劣化および膨張弁の腐食を抑制し、信頼性の高い冷凍装置を提供することである。
【０００７】
　本発明の第１観点に係る冷凍装置は、圧縮機、凝縮器、膨張機構および蒸発器を備える。冷凍装置に混入する空気量は、充填冷媒量に対して５００ｐｐｍ以下に制御されている。冷凍装置に混入する水分量は、充填冷媒量に対して３００ｐｐｍ以下に制御されている。冷凍装置の吐出ガス温度は、１２０℃以下に制御されている。充填冷媒量は、冷凍装置の冷媒回路に充填される冷媒の量である。吐出ガス温度は、圧縮機から吐出される高圧冷媒の温度である。冷凍装置は、Ｒ３２を含む冷媒、および、圧縮機の潤滑用の冷凍機油を用いる。
冷凍機油は、添加量が１．０重量％から５．０重量％である酸捕捉剤が配合されている
【０００８】
　第１観点に係る
冷凍装置は、分子式ＣＨ2Ｆ2で表されるＲ３２を含む冷媒を用いる。Ｒ３２を含む冷媒は、Ｒ３２単体、または、Ｒ３２を含む混合冷媒である
このようなＲ３２系冷媒は、Ｒ４１０ＡおよびＲ４０７Ｃ等のフッ素系冷媒と比べて、地球温暖化係数が小さいが、分解によるフッ酸等の酸の発生量が多い
冷凍機油に含まれる酸捕捉剤は、冷媒の分解により発生する酸を捕捉する効果を有する
酸捕捉剤の添加量が５．０重量％以下に制限されているので、過剰な酸捕捉剤による冷凍機油の潤滑性能の低下が抑制される
「【００３１】
　本実施形態では、空気調和装置１の冷媒回路を循環する冷媒として、フッ素系冷媒であるＲ３２系冷媒が用いられる。Ｒ３２系冷媒は、Ｒ３２を含む冷媒である。具体的には、Ｒ３２系冷媒は、Ｒ３２単体、または、Ｒ３２を含む混合冷媒である。Ｒ３２は、分子式ＣＨ2Ｆ2で表される。
Ｒ３２を含む混合冷媒は、例えば、ポリオールエステル油等のエステル系冷凍機油を含む混合冷媒、および、Ｒ３２を少なくとも６０重量％含む混合冷媒である。また、Ｒ３２を含む混合冷媒は、ＨＦＯ−１２３４ｙｆおよびＨＦＯ−１２３４ｚｅ（Ｅ）等のＨＦＯ系冷媒を含むことが好ましい
【００３２】
　Ｒ３２系冷媒は、他のＲ４１０ＡおよびＲ４０７Ｃ等のフッ素系冷媒に比べて、地球温暖化に与える影響が小さいが、安定性が低いため、分解によるフッ酸等の酸の発生量が多い。冷媒の分解により発生する酸は、圧縮機２で使用される冷凍機油を劣化させ、膨張機構５の膨張弁等の部品を腐食させる。」
「【００３９】
　次に、Ｒ３２冷媒の分解が発生しやすい、空気調和装置１の運転モードの例を３つ挙げる。第１の例は、圧縮機２から吐出される高圧のガス冷媒の温度が、例えば１２０℃を超える運転である。この時、圧縮機２内部の摺動部の温度が、局部的に６００℃以上になることがあり、この場合、Ｒ３２冷媒が熱分解するおそれがある。第２の例は、空気調和装置１の設置および保守等の施工時に、冷媒回路に誤って空気が多量に混入してしまった後に行われる運転である。この場合、冷媒回路内の空気に含まれる酸素によって、Ｒ３２が分解するおそれがある。第３の例は、空気調和装置１の起動時に液冷媒が圧縮機２に戻り、圧縮機２の内部で冷凍機油と液冷媒とが分離し、液冷媒が圧縮機２の摺動部に供給された状態で行われる運転である。この場合、液冷媒によって摺動部の正常な摺動が阻害され、その結果、摺動部の異常な発熱によってＲ３２が熱分解するおそれがある。
【００４０】
　そこで、空気調和装置１で使用される冷凍機油は、酸捕捉剤を１．０重量％以上含んでいる。冷凍機油は、圧縮機２の摺動部における摩耗および焼き付きの防止のために用いられる潤滑油である。圧縮機２の摺動部は、例えば、圧縮機２がスクロール圧縮機の場合、２つのスクロール間のスラスト摺動面、および、クランク軸と軸受との間の摺動面等である。酸捕捉剤は、Ｒ３２系冷媒の分解によって発生するフッ酸等の酸を捕捉するために用いられる添加剤である。」
「【００４３】
　酸捕捉剤は、Ｒ３２系冷媒の分解によって発生したフッ酸等の酸と反応することにより、酸による冷凍機油の劣化を抑制するために用いられる添加剤である。酸捕捉剤は、冷凍機油に１．０重量％以上含まれている。酸捕捉剤は、例えば、エポキシ化合物、カルボジイミド化合物、テンペン系化合物である。酸捕捉剤の具体例としては、２−エチルヘキシルグリシジルエーテル、フェニルグリシジルエーテル、エポキシ化シクロヘキシルカルビノール、ジ（アルキルフェニル）カルボジイミド、β−ピネン等が挙げられる。」
「【００５４】
　＜実施例＞ 本実施形態における冷凍装置が用いる冷凍機油の試験結果について説明する。冷凍機油の試験では、製品実機試験を行って、冷凍機油が冷凍装置に与える影響を分析した。
【００５５】
　試験では、冷凍機油に配合される酸捕捉剤の添加量を変更して、冷凍装置を稼働させた。その後、冷凍装置の膨張機構の真鍮製の膨張弁の状態を確認した。実機試験の結果を次の表１に示す。試験条件は、圧縮機から吐出される冷媒ガスの温度が１２０℃であり、冷凍装置の運転時間が２０００時間であり、冷凍装置の運転圧力が適宜に設定された値であった。冷凍機油の基油として、ポリビニルエーテル油を用いた。
冷凍機油に、０．３重量％から５．０重量％の酸捕捉剤を添加した
【００５６】
　
表１において、冷媒としてＲ４１０Ａを用いた試験では、酸捕捉剤の添加量が０．３重量％の場合においても、フッ素の検出量が５．２重量％であり、膨張弁の腐食は確認されなかった
冷媒としてＲ３２を用いた試験では、酸捕捉剤の添加量が０．３ｗｔ％である「Ｒ３２−Ｉ」のケースにおいては、フッ素の検出量が１６．７重量％であり、膨張弁の腐食が確認された。一方、酸捕捉剤の添加量が１．０重量％から５．０重量％である「Ｒ３２−ＩＩ」、「Ｒ３２−ＩＩＩ」、「Ｒ３２−ＩＶ」および「Ｒ３２−Ｖ」のケースにおいては、フッ素の検出量が６．０重量％以下であり、膨張弁の腐食は確認されなかった
【００５７】
【００５８】
　
表１より、Ｒ３２を冷媒として使用する冷凍装置では、冷凍機油の酸捕捉剤の添加量が１．０重量％以上の場合に、膨張弁の腐食が抑制された
（２）　上記（１）の事項を総合すれば、引用文献２には、次の発明（以下「引用発明２」という。）が記載されていると認められる。
「圧縮機、凝縮器、膨張機構および蒸発器を備える冷凍装置であって、
　Ｒ３２を少なくとも６０重量％含む冷媒、および、前記圧縮機の潤滑用の冷凍機油を用い、
　前記冷凍機油は、添加量が１．０重量％から５．０重量％である酸捕捉剤が配合されており、
　前記冷媒は、少なくともＨＦＯ−１２３４ｙｆまたはＨＦＯ−１２３４ｚｅ（Ｅ）であるＨＦＯ系冷媒を含む、
　冷凍装置。」
３　引用文献３の記載事項
（１）　原査定の拒絶の理由で引用された特開２０１１−５２０３２号公報（以下「引用文献３」という。）には、図面とともに、次の事項が記載されている。
「【請求項１】
　
２，３，３，３−テトラフルオロプロペン冷媒単独もしくは該冷媒とジフルオロメタンとの混合冷媒
「【請求項３】
　
２，３，３，３−テトラフルオロプロペン単独もしくは該冷媒とジフルオロメタンとの混合冷媒
【請求項４】
　
請求項３記載の冷凍空調装置において、該冷凍機油に酸捕捉剤としてエポキシ環を有する化合物もしくはビス（２，６−イソプロピルフェニル）カルボジイミドを１.０重量％以下配合
（２）　上記（１）の記載事項から、以下の事項と認めることができる。
「２，３，３，３−テトラフルオロプロペンとジフルオロメタンとの混合冷媒を用いた冷凍空調装置において、冷凍機油に酸捕捉剤としてエポキシ環を有する化合物を１.０重量％以下配合すること。」（以下「引３事項」という。）
４　引用文献４の記載事項
　原査定の拒絶の理由で引用された国際公開第２０１０／０２９７０４号（以下「引用文献４」という。）には、図面とともに、次の事項が記載されている。
「[０００１] 　本発明は、
地球温暖化係数の低い２,３,３,３‐テトラフルオロ‐１‐プロペン（ＨＦＯ‐１２３４ｙｆ、ＣＨ２＝ＣＦ-ＣＦ３）を冷媒として使用する冷凍機油に関する
[０００２] 　従来、冷凍機、空調機、冷蔵庫等には、フッ素と塩素を構成元素とするクロロフルオロカーボン（ＣＦＣ）、例えばＲ‐１１（トリクロロモノフルオロメタン）、Ｒ‐１２（ジクロロジフルオロメタン）、ハイドロクロロフルオロカーボン（ＨＣＦＣ）であるＲ‐２２（モノクロロジフルオロメタン）等が、冷媒として使用されてきたが、最近のオゾン層破壊問題に関連し、国際的にその生産及び使用が規制され、現在では、塩素を含有しない、例えば、
ジフルオロメタン（Ｒ‐３２）、テトラフルオロエタン（Ｒ‐１３４またはＲ‐１３４ａ）などの新しいハイドロフルオロカーボン（ＨＦＣ）冷媒に転換されてきている。しかし、これらのＨＦＣは、オゾン層を破壊しないものの温室効果が大きく、近年問題となっている地球温暖化の観点からは必ずしも優れた冷媒ではない
[０００３] 　そこで、
最近、２,３,３,３‐テトラフルオロ‐１‐プロペン（以下、「ＨＦＯ‐１２３４ｙｆ」という）が、オゾン層を破壊することなく、地球温暖化への影響も前記の塩素系あるいは非塩素系フッ化炭化水素に比べて非常に低いことから、注目されている
　特許文献１および２には、フッ素化アルケン（フッ素置換オレフィン）を冷媒として用いる場合においても、ハイドロフルオロカーボン（ＨＦＣ）冷媒用に通常用いられてるポリオールエステル類、ポリアルキレングリコール類およびエステル化ポリアルキレングリコール類等の潤滑剤を使用できることが開示されている。しかしながら、冷凍機油に必須の性能である相溶性、溶解性、冷媒混合状態での潤滑性等は、冷媒の種類により異なるので、フッ素化アルカンであるＨＦＣ冷媒で良好であったからといって、そのままフッ素化アルケンのＨＦＯ‐１２３４ｙｆ冷媒に良好に用いることができるとは一概にはいえない。特に、冷媒が二重結合を有するオレフィンであるために、冷媒と潤滑剤との混合流体の安定性が問題となる。すなわち、冷媒ＨＦＯ‐１２３４ｙｆに好適な潤滑剤は、上述したような性能を評価することにより分かるものであり、未だそれはなされておらず、適切な冷凍機油は未だ提案されていない。」
「[００１９] 　
地球温暖化係数の低い冷媒であるＨＦＯ−１２３４ｙｆ
５　引用文献５の記載事項
　原査定の拒絶の理由で引用された国際公開第２０１６／０１７２７７号（以下「引用文献５」という。）には、図面とともに、次の事項が記載されている。
「［請求項１］冷媒を圧縮する圧縮機と、冷媒と室外空気とを熱交換させる室外熱交換器と、冷媒と室内空気とを熱交換させる室内熱交換器と、冷媒を減圧させる膨張弁と、が配管接続され冷凍サイクルを構成する空気調和機において、
　ポリオールエステル油を基油とし、エポキシ基を有するアルキルグリシジルエーテル化合物を含有した冷凍機油が用いられることを特徴とする空気調和機。
［請求項２］請求項１に記載の空気調和機において、
　前記冷凍サイクルには、Ｒ３２を７０質量％以上含む冷媒が封入されることを特徴とする空気調和機。
［請求項３］請求項２に記載の空気調和機において、
　前記アルキルグリシジルエーテル化合物は、アルキル基が炭素数４〜１０であることを特徴とする空気調和機。
［請求項４］請求項３に記載の空気調和機において、
　
前記冷凍機油は、前記アルキルグリシジルエーテル化合物を０．１〜１．０質量％含有する
「[００３８] 　また、
冷凍機油に対して酸捕捉剤は、０．１〜１．０質量％添加するのが望ましい。酸捕捉剤添加量がこの量より少量となると冷凍機油中の酸捕捉量の絶対値が不足してしまう。一方で、この添加量より多く酸捕捉剤を添加した場合には、前述の炭素数４〜１０のアルキルグリシジルエーテル化合物は冷凍機油に添加した場合に粘度を低下させる性質を持ち、冷凍機油の粘度低下の為に圧縮機摺動部にて油膜形成がされず摩耗し信頼性低下へとつながってしまう。例えば、冷凍機油に対し酸捕捉剤を１．０質量％添加した場合、油温度４０℃にて６ｍｍ2／ｓ程度低下する。また、酸捕捉剤同士の重合によって酸捕捉性能が低下してしまう虞もある。
６　引用文献６の記載事項
　原査定の拒絶の理由で引用された特開２０１５−１１７９２３号公報（以下「引用文献６」という。）には、図面とともに、次の事項が記載されている。　
「【０００２】
　現在、業務用空調装置（いわゆるパッケージエアコン）や家庭用空調装置（いわゆるルームエアコン）では、オゾン層保護の観点から、冷媒としてオゾン層破壊係数がゼロ（ODP＝0）であるR410A冷媒が主に利用されている。R410A冷媒（HFC410A冷媒とも言う）とは、沸点が比較的近い２種類のハイドロフルオロカーボン類冷媒を混合した疑似共沸混合冷媒（HFC32／HFC125が50／50質量％の混合冷媒、HFC32：ジフルオロメタン、HFC125：ペンタフルオロエタン）である。
【０００３】
　R410A冷媒は、従来使用されてきたR22冷媒（クロロジフルオロメタン）と比べて圧力が高くなることから空調装置の耐圧設計に見直しが必要であったが、圧力損失が少ないという利点もあった。しかしながら、
R410A冷媒は、地球温暖化係数（GWP）が約2100と高いことから、地球温暖化防止の観点で使用量・排出量の削減が求められており、代替冷媒の更なる検討が行われている
【０００４】
　
ODPとGWPとが低い代替冷媒
ハイドロフルオロオレフィン類におけるHFO1234yf（2,3,3,3-テトラフルオロプロペン）やHFO1234ze（1,3,3,3-テトラフルオロプロペン）の単独冷媒や混合冷媒
【０００５】
　HFC32は、ハイドロフルオロカーボン類の中ではGWPが比較的小さいが、「GWP＝675」と絶対的にはまだ高く、かつ微燃性を有する。
HFO1234yfやHFO1234zeは、「GWP≦10」と非常に低いが、化学的安定性に弱点があると共に微燃性を有する
【０００６】
　上記のような利点弱点を踏まえ、ODPとGWPとが低くかつ安全性の高い代替冷媒の研究・開発が進められている。また、空調装置において地球温暖化対策を考える場合、冷媒による直接的な影響だけではなく、空調装置の運転におけるエネルギー効率（要求される冷凍能力を発揮するために要するエネルギー消費量）をも考慮する必要がある。そのため、空調装置全体としての研究・開発も併せて進められている。
【０００７】
　例えば、特許文献１（特開2013−120029）には、
R32とHFO1234yfまたは、HFO1234zeを主成分とする混合冷媒で、R32の濃度が70％以下の混合冷媒を封入し、当該冷媒が圧縮機、凝縮器、減圧器、蒸発器を接続して構成した冷凍サイクル内を循環する構成
【０００８】
　また、特許文献２（特表2010−531970）には、高い地球温暖化係数の冷媒および潤滑剤を含む種類の冷却装置システムに別の冷媒を充填する方法であって、前記システム中に前記潤滑剤の実質的な部分を残しながら、前記冷却システム中の前記高い地球温暖化係数の冷媒の全てまたは一部を、1-クロロ-3,3,3-トリフルオロプロペンおよび／または2-クロロ-3,3,3-トリフルオロプロペンを含むハロゲン化オレフィン組成物で置き換える工程を含む方法が、開示されている。特許文献２によると、1-クロロ-3,3,3-トリフルオロプロペン（R-1233zd）冷媒は、現状の冷却装置冷媒に匹敵する運転状態を与え、現状の冷却装置潤滑剤と適合し、かつR-123（1,1-ジクロロ-2,2,2-トリフルオロエタン）冷媒と同等の効率を示すことが見いだされ、より環境的に許容される代替冷媒として使用され得るとされている。」
７　引用文献７の記載事項
　原査定の拒絶の理由で引用された特開２０１３−７６５３３号公報（以下「引用文献７」という。）には、図面とともに、次の事項が記載されている。　
「【０００８】
　これらの
代替冷媒としては、ＨＦＣ１３４ａと同等の熱物性を有し、低ＧＷＰ、低毒性、低可燃性などの理由から、２，３，３，３−テトラフルオロプロペン（ＨＦＯ１２３４ｙｆ（Ｈｙｄｒｏｆｌｕｏｒｏｏｌｅｆｉｎｅ）（ＧＷＰ＝４）、１，３，３，３−テトラフルオロプロペン（ＨＦＯ１２３４ｚｅ）（ＧＷＰ＝１０）、若しくはジフルオロメタン（ＨＦＣ３２）
これらの混合冷媒
２，３，３，３−テトラフルオロプロペンと混合する冷媒としては、ジフルオロメタン（ＨＦＣ３２）が主である
「【００３９】
　本発明においては、前記した冷凍機油に潤滑性向上剤（トリクレジルホスフェートなどの極圧添加剤も含む）、酸化防止剤、
酸捕捉剤
【００４０】
　酸化防止剤としては、フェノール系であるＤＢＰＣ（２，６−ジ−ｔ−ブチル−ｐ−クレゾール）が好ましい。
【００４１】
　
酸捕捉剤としては、一般に、エポキシ環を有する化合物である脂肪族のエポキシ系化合物やカルボジイミド系化合物が使用される
第５　　対比・判断
［引用文献１を主引用例として］
１−１　対比 
　本件発明と引用発明１とを対比すると、以下のとおりである。 
　引用発明１の「圧縮機」、「室外熱交換器」、「膨張機構」、「室内熱交換器」及び「空気調和機」は、その機能や技術上の意義を考慮すると、それぞれ、本願発明の「圧縮機」、「凝縮器」、「膨張機構」、「蒸発器」及び「冷凍装置」に相当する。
　引用発明１の「Ｒ３２」、「Ｒ１２３４ｙｆ」、「Ｒ１２３４ｚｅ」、「冷凍機油」及び「酸捕捉剤」は、その機能や技術上の意義を考慮すると、それぞれ、本願発明の「ＨＦＣ系冷媒」、「ＨＦＯ系冷媒」、「ＨＦＯ系冷媒」、「冷凍機油」及び「酸捕捉剤」に相当する。
　また、引用発明１の「空気調和機」が、「圧縮機」、「室外熱交換器」、「膨張機構」及び「室内熱交換器」を冷媒配管で接続して、冷媒を循環させる冷媒回路をなすことは明らかであるから、引用発明１は、本願発明の「圧縮機、凝縮器、膨張機構及び蒸発器を冷媒配管で接続して冷媒を循環させる冷媒回路を備えた」ものといえる。
　以上の対応関係を踏まえると、引用発明１の「Ｒ３２が５０重量％より多く含まれている、Ｒ３２及びＲ１２３４ｙｆからなる混合冷媒、又はＲ３２、Ｒ１２３４ｙｆ及びＲ１２３４ｚｅからなる混合冷媒」と、本願発明の「前記冷媒は、ＨＦＯ系冷媒を少なくとも１０重量％以上と、ＨＦＣ系冷媒を少なくとも５０重量％以上とを含」むものとは、「前記冷媒は、ＨＦＯ系冷媒と、ＨＦＣ系冷媒を少なくとも５０重量％以上とを含」むとの限りで一致している。
　引用発明１の「冷凍機油」が「圧縮機」の摺動部を潤滑するものであることは明らかなので、引用発明１の「冷凍機油に対する酸捕捉剤としての、アルキルグリシジルエステル化合物とシクログリシジルエーテル化合物の添加量は、０．５２ｗｔ％、０．６３ｗｔ％、０．７０ｗｔ％であ」ることと、本願発明の「前記圧縮機の摺動部を潤滑する冷凍機油には、添加量が０．１重量％から１．０重量％である酸捕捉剤が配合されている」こととは、「前記圧縮機の摺動部を潤滑する冷凍機油には、添加量が０．５２重量％、０．６３重量％、０．７０重量％である酸捕捉剤が配合されている」限りで一致している。
　したがって、本願発明と引用発明１とは、以下の構成において一致する。
「圧縮機、凝縮器、膨張機構及び蒸発器を冷媒配管で接続して冷媒を循環させる冷媒回路を備えた冷凍装置であって、
　前記冷媒は、ＨＦＯ系冷媒と、ＨＦＣ系冷媒を少なくとも５０重量％以上とを含み、
　前記圧縮機の摺動部を潤滑する冷凍機油には、添加量が０．５２重量％、０．６３重量％、０．７０重量％である酸捕捉剤が配合されている冷凍装置。」
　そして、本願発明と引用発明１とは、以下の点で相違する。 
＜相違点１＞
　ＨＦＯ系冷媒について、本願発明は、「少なくとも１０重量％以上」含んでいるのに対して、引用発明１では、含む量について、特定されていない点。
＜相違点２＞
　酸捕捉剤の配合について、本願発明は、「添加量が０．１重量％から１．０重量％である」とされているのに対して、引用発明１は、「０．５２ｗｔ％、０．６３ｗｔ％、０．７０ｗｔ％」とされている点。
１−２　判断
（１）　相違点１について
　ＨＦＯ系冷媒は、地球温暖化係数（ＧＷＰ）が低いものであり、冷媒としての使用が注目されているものである（引用文献４［０００１］、［０００３］、［００１９］、引用文献６【０００４】参照。）。
　また、引用文献１には、「ルームエアコン用の冷媒は、オゾン層保護のためＲ２２から代替冷媒へと移行され、現在は主にＲ４１０Ａが使用されている。しかし、Ｒ４１０Ａは地球温暖化係数（以下「ＧＷＰ」という。）が２０８８と高く、地球環境に及ぼす影響を低減するために、地球温暖化係数がＲ４１０Ａの１／３程度であるジフルオロメタン（以下「Ｒ３２」という。）へ移行することが検討されている。」（【０００２】）と記載されており、ルームエアコン用の冷媒において、ＧＷＰがより低い冷媒へ置き換えられて用いられることが示唆されている。
　そうすると、引用発明１においては、「Ｒ３２が５０重量％より多く含まれている、Ｒ３２及びＲ１２３４ｙｆからなる混合冷媒、又はＲ３２、Ｒ１２３４ｙｆ及びＲ１２３４ｚｅからなる混合冷媒」とされているから、ＨＦＣ系冷媒を５０重量％より多く含む混合冷媒において、ＨＦＣ系冷媒以外の混合冷媒をなす、地球温暖化係数がより低いＲ１２３４ｙｆ及びＲ１２３４ｚｅのＨＦＯ系冷媒について、その配合量を多くする動機付けは存在するといえる。
　そして、引用発明１は、一方のＨＦＣ系冷媒が５０重量％より多いものであるから、他方のＨＦＯ系冷媒は５０重量％より少ない範囲となり、その範囲で最大に配合しようとすることは、当業者なら当然考慮したことである。
　次に、本願発明が、「ＨＦＯ系冷媒を少なくとも１０重量％以上」と特定していることについて、以下に検討する。
　本願明細書の発明の詳細な説明には、ＨＦＯ系冷媒の配合について、以下の事項が記載されている。
「【０００８】
　本発明に係る冷凍装置は、圧縮機、凝縮器、膨張機構及び蒸発器を冷媒配管で接続して冷媒を循環させる冷媒回路を備えた冷凍装置であって、
前記冷媒は、ＨＦＯ系冷媒を少なくとも１０重量％以上と
「【００１９】
　本実施の形態では、冷凍装置１の冷媒回路を循環する冷媒として、プロピレン系フッ化炭素水素冷媒であるＨＦＯ系冷媒が用いられる。具体的には、
ＨＦＯ系冷媒は、ＨＦＯ単体、または、Ｒ３２を含む混合冷媒である。ＨＦＯ冷媒を含む混合冷媒は、ＨＦＯ冷媒を少なくとも１０重量％以上含み
「【００２８】
　次に、本実施の形態の冷凍装置に用いる冷凍機油が、冷凍装置１に与える影響について、下記の表１に基づいて説明する。本出願人は、製品実機試験を行い、冷凍機油が冷凍装置１に与える影響を分析した。
【００２９】
　製品実機試験の試験条件は、圧縮機２から吐出される冷媒ガスの温度が１４０℃であり、冷凍装置１の運転時間が５００時間であり、冷凍装置１の運転圧力が適宜設定された値であった。冷凍機油の基油として、ポリビニルエーテル油を用いた。冷凍機油に、酸捕捉剤の添加量を０．００５重量％、０．０５重量％、０．１重量％、１．０重量％、６．０重量％、１０．０重量％と変更させて配合し、冷凍装置１を稼働させて、冷凍装置１の膨張機構５の膨張弁の状態を確認した。具体的には、試験後の膨張弁をＸ線装置で元素分析して、冷媒分解物であるフッ素の量と、膨張弁に付着したスラッジ量を確認した。下記の表１は、製品実機試験の試験結果を表している。
【００３０】
　　　　　　　　　　　　　　　　　　　　　　　　　　　　　」
　上記、各記載を参酌しても、ＨＦＯ冷媒を少なくとも１０重量％以上含むことについて、その技術的意義が記載されているところは認められず、【００２９】、【００３０】の試験内容をみても、冷媒については「ＨＦＯ系」と記載されているものの、ＨＦＯ系冷媒の具体的な物質名や配合量は特定されていないし、また、「１０重量％以上」の数値範囲に（１０重量％未満の場合に比して）顕著な効果を見いだせる具体的な記載はなされていない。
　以上のことを踏まえると、引用発明１において、ＨＦＯ系の冷媒の配合を、「少なくとも１０重量％以上」と特定することは、地球温暖化係数の低いＨＦＯ系冷媒をある程度混合冷媒に配合させるという意味で最低限の量を特定した数値限定にすぎないものといえ、当業者が適宜定め得る設計的事項である。
　したがって、引用発明１において、上記相違点１に係る本願発明の特定事項を採用することは、当業者が容易に想到し得たことである。
（２）　相違点２について
　酸捕捉剤の配合について、引用発明１の「０．５２ｗｔ％、０．６３ｗｔ％、０．７０ｗｔ％」は、本願発明の「添加量が０．１重量％から１．０重量％である」範囲に広く含まれるものである。
　また、冷凍機油に添加する酸捕捉剤の配合として、従来より、１．０重量％以下の範囲（引３事項、引用文献３請求項４）や、０．１〜１．０質量％（引用文献５［００３８］）の範囲で配合されるものでもある。
　そうすると、引用発明１において、酸捕捉剤の配合の範囲として、「添加量が０．１重量％から１．０重量％である」とすることに、困難性は認められない。
　そして、本願発明が酸捕捉剤の「添加量が０．１重量％から１．０重量％である」と特定することについて、本願明細書の発明の詳細な説明には、以下の事項が記載されている。
「【０００８】
　本発明に係る冷凍装置は、圧縮機、凝縮器、膨張機構及び蒸発器を冷媒配管で接続して冷媒を循環させる冷媒回路を備えた冷凍装置であって、前記冷媒は、ＨＦＯ系冷媒を少なくとも１０重量％以上と、ＨＦＣ系冷媒を少なくとも５０重量％以上とを含み、前記圧縮機の摺動部を潤滑する
冷凍機油には、添加量が０．１重量％から１．０重量％である酸捕捉剤が配合されている
「【００２２】
　そこで、
本実施の形態の冷凍装置１で使用される冷凍機油には、酸捕捉剤が０．１重量％から１．０重量％配合されている
「【００２５】
　酸捕捉剤は、ＨＦＯ系冷媒の分解によって発生したフッ酸等の酸と反応することにより、酸による冷凍機油の劣化を抑制するために用いられる添加剤である。
酸捕捉剤は、冷凍機油に０．１重量％から１．０重量％含まれている
「【００２９】
　製品実機試験の試験条件は、圧縮機２から吐出される冷媒ガスの温度が１４０℃であり、冷凍装置１の運転時間が５００時間であり、冷凍装置１の運転圧力が適宜設定された値であった。冷凍機油の基油として、ポリビニルエーテル油を用いた。
冷凍機油に、酸捕捉剤の添加量を０．００５重量％、０．０５重量％、０．１重量％、１．０重量％、６．０重量％、１０．０重量％と変更させて配合し、冷凍装置１を稼働させて、冷凍装置１の膨張機構５の膨張弁の状態を確認した。
「【００３１】
　
冷凍機油が、合格か不合格であるか否かの判定基準として、Ｒ４１０Ａ冷媒での評価結果を参考とし、フッ素検出量５重量％以下、かつ、スラッジ発生量１重量％以下の場合を合格、それ以外を不合格とした
【００３２】
　表１において、
酸捕捉剤の添加量が０．００５〜０．０５重量％である「Ｉ」、「ＩＩ」のケースにおいては、フッ素検出量が５重量％よりも高く、膨張弁の腐食が確認されたため不合格と判定した
酸捕捉剤の添加量が６〜１０重量％である「Ｖ」、「ＶＩ」のケースにおいては、スラッジの発生量が１重量％以上であり、スラッジの大量発生を確認されたため不合格と判定した
酸捕捉剤の添加量が０．１〜１．０重量％である「ＩＩＩ」、「ＩＶ」のケースにおいて、フッ素検出量、及びスラッジの発生量は、共に問題ないことが確認されたため合格と判定した
【００３３】
　
表１より、ＨＦＯ系冷媒を使用する冷凍装置では、冷凍機油の酸捕捉剤の添加量が０．１から１．０重量％の場合に、膨張弁の腐食及びスラッジ異常発生が抑制された
【００３４】
　さらに、
酸捕捉剤の添加量を０．２から１．０重量％の場合に、フッ素検出量が著しく低下し、膨張弁の耐腐食効果が向上することが確認できた
【００３５】
　したがって、本実施の形態に冷凍装置１では、ＨＦＯ系冷媒の分解によって発生するフッ酸等の酸は、
冷凍機油に０．１重量％から１．０重量％含まれる酸捕捉剤によって、より好ましくは０．２重量％から１．０重量％含まれる酸捕捉剤によって捕捉される
　以上の記載によると、冷凍機油へ酸捕捉剤の配合量を０．００５、０．０５、０．１、１、６、１０と増加させて変化させて、フッ素検出量が５重量％以下、かつ、スラッジ発生量が１重量％以下の場合を合格、それ以外を不合格との基準を設けて、合格の範囲の酸捕捉剤の配合量を定めたものと認められる。
　そして、合格、不合格の基準の定め方によって、合格範囲の酸捕捉剤の配合量は変化するものであり、また、冷凍機油へ酸捕捉剤の配合量を０．００５、０．０５、
０．１
１
５
３
０．３
０．８
　したがって、引用発明１において、上記相違点２に係る本願発明の特定事項を採用することは、当業者が容易に想到し得たことである。
（３）　効果について
　本願発明の奏する効果は、引用発明１に基づいて予測し得る程度のものであり、当業者の予測を超える格別のものとは認められない。
（４）　請求人の主張について 
　請求人は、令和２年４月７日の審判請求書において、以下のとおり主張している。
「引用文献１には、ＨＦＣ系冷媒に対してＨＦＯ系冷媒がどの程度含まれているかについての記載が一切ありません。上記したように、ＨＦＣ系冷媒を少なくとも５０重量％以上含むことに対して、ＨＦＯ系冷媒が１０重量％未満であると、混合冷媒動作圧力が上昇し、摺動摩耗粉が増加します。そのため、ＨＦＯ系冷媒の分解により発生する酸によって劣化された冷凍機油と、圧縮機の摺動摩耗粉と、が結合して１重量％以上のスラッジを発生させ、膨張弁等の冷媒回路部品を詰まらせるおそれがあります。」
「つまり、引用文献１は、ＨＦＯ系冷媒が１０重量％未満である場合も含むことが考えられるため、『混合冷媒動作圧力が上昇し、摺動摩耗粉が増加する。そのため、ＨＦＯ系冷媒の分解により発生する酸によって劣化された冷凍機油と、圧縮機の摺動摩耗粉と、が結合して１重量％以上のスラッジを発生させ、膨張弁等の冷媒回路部品を詰まらせるおそれがある。』という本願の課題を解決することを想定した構成ではないことが明らかです。」
「引用文献１は、本願の請求項１に係る発明のように、ＨＦＯ系冷媒及びＨＦＣ系冷媒の比率と、酸捕捉剤の添加量との組み合わせを最適なものとした構成ではなく、冷凍機油の劣化、膨張弁の腐食及びスラッジの異常発生を効果的に抑制できる発明を開示したものではありません。また、ＨＦＯ系冷媒及びＨＦＣ系冷媒の比率と、酸捕捉剤の添加量との組み合わせは、引用文献１から当業者が容易に想到できるものでもありません。」
　そこで、上記主張について検討するに、ＨＦＯ系冷媒を１０重量％以上とすることについては、上記相違点１について述べたとおり、本願明細書にはその数値の技術的意味について、記載するところはないし、地球温暖化係数の低いＨＦＯ系冷媒をある程度混合冷媒に配合させるという意味で最低限の量を特定した、数値限定にすぎないものといえ、当業者が適宜定め得る設計的事項である。
　さらに、ＨＦＯ系冷媒及びＨＦＣ系冷媒の比率と、酸捕捉剤の添加量との組み合わせを最適なものとしたことについては、上記相違点２について述べたとおりであって、格別顕著な効果を奏する範囲のものとは認めることができない。
　したがって、上記請求人の主張は、採用することができない。
［引用文献２を主引用例として］
２−１　対比 
　本件発明と引用発明２とを対比すると、以下のとおりである。 
　引用発明２の「圧縮機」、「凝縮器」、「膨張機構」、「蒸発器」及び「冷凍装置」は、その機能や技術上の意義を考慮すると、それぞれ、本願発明の「圧縮機」、「凝縮器」、「膨張機構」、「蒸発器」及び「冷凍装置」に相当する。
　引用発明２の「Ｒ３２」、「ＨＦＯ−Ｒ１２３４ｙｆ」、「ＨＦＯ−Ｒ１２３４ｚｅ（Ｅ）」、「冷凍機油」及び「酸捕捉剤」は、その機能や技術上の意義を考慮すると、それぞれ、本願発明の「ＨＦＣ系冷媒」、「ＨＦＯ系冷媒」、「ＨＦＯ系冷媒」、「冷凍機油」及び「酸捕捉剤」に相当する。
　また、引用発明２の「冷凍装置」が、「圧縮機」、「凝縮器」、「膨張機構」及び「蒸発器」を冷媒配管で接続して、冷媒を循環させる冷媒回路をなすことは明らかであるから、引用発明２は、本願発明の「圧縮機、凝縮器、膨張機構及び蒸発器を冷媒配管で接続して冷媒を循環させる冷媒回路を備えた」ものといえる。
　以上の対応関係を踏まえると、引用発明２の「Ｒ３２を少なくとも６０重量％含む冷媒」で、「前記冷媒は、少なくともＨＦＯ−１２３４ｙｆまたはＨＦＯ−１２３４ｚｅ（Ｅ）であるＨＦＯ系冷媒を含む」ものと、本願発明の「前記冷媒は、ＨＦＯ系冷媒を少なくとも１０重量％以上と、ＨＦＣ系冷媒を少なくとも５０重量％以上とを含」むものとは、「前記冷媒は、ＨＦＯ系冷媒と、ＨＦＣ系冷媒を少なくとも５０重量％以上とを含」むとの限りで一致している。
　引用発明２の「冷凍機油」が「圧縮機」の摺動部を潤滑するものであることは明らかなので、引用発明２の「前記冷凍機油は、添加量が１．０重量％から５．０重量％である酸捕捉剤が配合されて」いることと、本願発明の「前記圧縮機の摺動部を潤滑する冷凍機油には、添加量が０．１重量％から１．０重量％である酸捕捉剤が配合されている」こととは、「前記圧縮機の摺動部を潤滑する冷凍機油には、添加量が１．０重量％である酸捕捉剤が配合されている」限りで一致している。
　したがって、本願発明と引用発明２とは、以下の構成において一致する。
「圧縮機、凝縮器、膨張機構及び蒸発器を冷媒配管で接続して冷媒を循環させる冷媒回路を備えた冷凍装置であって、
　前記冷媒は、ＨＦＯ系冷媒と、ＨＦＣ系冷媒を少なくとも５０重量％以上とを含み、
　前記圧縮機の摺動部を潤滑する冷凍機油には、添加量が１．０重量％である酸捕捉剤が配合されている冷凍装置。」
　そして、本願発明と引用発明２とは、以下の点で相違する。 
＜相違点３＞
　ＨＦＯ系冷媒について、本願発明は、「少なくとも１０重量％以上」含んでいるのに対して、引用発明２では、含む量について、特定されていない点。
＜相違点４＞
　酸捕捉剤の配合について、本願発明は、「添加量が０．１重量％から１．０重量％である」とされているのに対して、引用発明２は、「添加量が１．０重量％から５．０重量％」とされている点。
２−２　判断
（１）　相違点３について
　ＨＦＯ系冷媒は、地球温暖化係数（ＧＷＰ）が低いものであり、冷媒としての使用が注目されているものである（引用文献４［０００１］、［０００３］、［００１９］、引用文献６【０００４】参照。）。
　また、引用文献２には、「従来、空気調和装置等の冷凍装置には、テトラフルオロエタンであるＲ１３４ａや、混合冷媒であるＲ４１０ＡおよびＲ４０７Ｃ等のフッ素系冷媒が使用されている。しかし、これらのフッ素系冷媒は、塩素を含まないのでオゾン層を破壊する効果は小さいが、温室効果による地球温暖化への影響が大きい。そこで、近年、地球温暖化係数が小さいフッ素系冷媒として、分子式ＣＨ2Ｆ2で表されるＲ３２が注目されている。」（【０００３】）と記載されるように、空気調和装置等の冷凍装置の冷媒において、ＧＷＰがより低い冷媒に置き換えていくことがなされている。
　そうすると、引用発明２においては、「Ｒ３２を少なくとも６０重量％含む冷媒」であって、「前記冷媒は、少なくともＨＦＯ−１２３４ｙｆまたはＨＦＯ−１２３４ｚｅ（Ｅ）であるＨＦＯ系冷媒を含む」混合冷媒とされているから、ＨＦＣ系冷媒であるＲ３２を少なくとも６０重量％含む混合冷媒において、ＨＦＣ系冷媒以外の混合冷媒をなす、地球温暖化係数がより低いＨＦＯ−１２３４ｙｆまたはＨＦＯ−１２３４ｚｅ（Ｅ）のＨＦＯ系冷媒について、その配合量を多くする動機付けは存在するといえる 。
　そして、引用発明２は、一方のＨＦＣ系冷媒が少なくとも６０重量％含むものであるから、他方のＨＦＯ系冷媒は４０重量％以下の範囲となり、その範囲で最大に配合しようとすることは、当業者なら当然考慮したことである。
　次に、本願発明が、「ＨＦＯ系冷媒を少なくとも１０重量％以上」と特定していることについては、上記「１−２　判断　（１）　相違点１について」において、検討したことと同様であって、引用発明２において、ＨＦＯ系の冷媒の配合を、「少なくとも１０重量％以上」と特定することは、地球温暖化係数の低いＨＦＯ系冷媒をある程度混合冷媒に配合させるという意味で最低限の量を特定した、数値限定にすぎないものといえ、当業者が適宜定め得る設計的事項である。
　したがって、引用発明２において、上記相違点３に係る本願発明の特定事項を採用することは、当業者が容易に想到し得たことである。
（２）　相違点４について
　酸補捉剤の配合について、引用発明２は、「１．０重量％」において、本願発明と一致するものであり、引用文献２には、従来、０．０５重量％の配合が記載されている（【０００４】）。
　また、冷凍機油に添加する酸捕捉剤の配合として、従来より、１．０重量％以下の範囲（引用文献３請求項４）や、０．１〜１．０質量％（引用文献５［００３８］）の範囲で配合されるものでもある。
　そうすると、引用発明２において、酸捕捉剤の配合の範囲として、「添加量が０．１重量％から１．０重量％である」とすることに、困難性は認められない。
　そして、本願発明が酸捕捉剤の「添加量が０．１重量％から１．０重量％である」と特定することについて、上記「１−２　判断　（２）　相違点２について」において、検討したことと同様であって、引用発明２において、上記相違点４に係る本願発明の特定事項を採用することは、当業者が容易に想到し得たことである。
（３）　効果について
　本願発明の奏する効果は、引用発明２に基づいて予測し得る程度のものであり、当業者の予測を超える格別のものとは認められない。
（４）　請求人の主張について 
　上記「１−２　判断　（４）　請求人の主張について」において、検討したことと同様であって、引用文献２を主引用文献とした場合であっても、請求人の主張は、採用することができない。
第６　むすび
　以上のとおり、本願発明は、引用文献１に記載された発明、又は引用文献２に記載された発明に基いて当業者が容易に発明をすることができたものであり、特許法第２９条第２項の規定により特許を受けることができないから、他の請求項に係る発明について検討するまでもなく、本願は拒絶されるべきものである。
　よって、結論のとおり審決する。